(57)【要約】【課題】突起体と可動接点板との位置関係を目視によって確認できるようにする。【解決手段】基板上面にスイッチ接点３を有するスイッチ基板５と、前記スイッチ接点３と対向して配置され、スイッチ接点３に対して、接・離可能な可動接点板７と、前記可動接点板７の上から前記スイッチ基板５上面を覆う透明な押えシート９と、その押えシート９の上から前記可動接点板７を上から押圧するための可動接点押圧部材１１で構成する。前記透明な押えシート９には、前記可動接点板７の中央部位に位置する突起体１３を設け、可動接点板７に対する突起体１３の位置が目視できるようにする。【選択図】図１
2006252887.tif 000002
【特許請求の範囲】
【請求項１】
基板上面にスイッチ接点を有するスイッチ基板と、前記スイッチ接点と対向して配置され、スイッチ接点に対して、接・離可能な可動接点板と、
前記可動接点板の上から前記スイッチ基板上面を覆う透明な押えシートと、その押えシートの上から前記可動接点板を上から押圧するための可動接点押圧部材とからなり、前記透明な押えシートには、前記可動接点板の中央部位に位置する突起体が設けられていることを特徴とするスイッチ装置。
【請求項２】
前記突起体は、押えシートと一体形状に作られていることを特徴とする請求項１記載のスイッチ装置。
【発明の詳細な説明】
【技術分野】
【０００１】
本発明は、例えば、携帯電話等に適するスイッチ装置に関する。
【背景技術】
【０００２】
従来、携帯電話等のスイッチは、パネル上に上下、左右に並んで配置され、スイッチを押圧するとオン，離すとオフとなる構造となっている。
【０００３】
スイッチの概要は、スイッチ基板の上面に設けられたスイッチ接点に対してドーム状に形成された可動接点が対向して配置されている。可動接点は押えを兼ねるベースシートによってカバーされ、上下動可能な機器の操作ボタンによって押圧されると下向きに変形し、スイッチ接点と接触してオンとなる。押圧を解除すると元のドーム形状に戻る復帰動作によってスイッチ接点から離れ、オフとなる接・離可能な構造となっていて、可動接点の中央頂上部には突起体が設けられている。
【０００４】
突起体は、機器の操作ボタンの操作時に上方からの押圧力を可動接点に対して確実に伝達し、可動接点とスイッチ接点間のバラツキの少ない接点動作と軽快な節度感が得られるようになっている。
【特許文献１】特開２００２−２１６５８２号公報
【発明の開示】
【発明が解決しようとする課題】
【０００５】
可動接点に設けられた突起体は、バラツキのない確実な接点動作と軽快な節度感が得られるようになっているが、これは、可動接点の中央部位を通る垂直軸線上に少なくとも突起体が配置されていることが条件となる。
【０００６】
この位置関係にずれが発生すると、可動接点の特性上、バラツキの少ない確実な接点動作と軽快な節度感が得られなくなる等の不具合を招く。
【０００７】
特に、可動接点はベースシートによってカバーされているため、可動接点の中央頂上部位を直接目視することができず、位置関係のずれの度合いを外観から知ることが難しく、検査や認知がしずらい面があった。
【０００８】
そこで、本発明は、位置関係のずれが発生した際に容易に目視によって位置修正ができるようにしたスイッチ装置を提供することを目的としている。
【課題を解決するための手段】
【０００９】
前記目的を達成するために、本発明にあっては、基板上面にスイッチ接点を有するスイッチ基板と、前記スイッチ接点と対向して配置され、スイッチ接点に対して、接・離可能な可動接点板と、前記可動接点板の上から前記スイッチ基板上面を覆う透明な押えシートと、その押えシートの上から前記可動接点板を上から押圧するための可動接点押圧部材とからなり、前記透明な押えシートには、前記可動接点板の中央部位に位置する突起体が設けられていることを特徴とする。
【発明の効果】
【００１０】
本発明のスイッチ装置によれば、透明な押えシートによって可動接点板と突起体の位置関係が目視によって知ることができる。
【００１１】
したがって、位置関係にずれがあった場合には正しい位置関係に迅速、容易に修正することができる。
【発明を実施するための最良の形態】
【００１２】
本発明にあっては、前記突起体を押えシートと一体形状に作り、部品点数を少なくすると共に押えシートを動かすことで例えば、シート上に設けられた各突起体の位置修正を一度に行なえるようにする。
【実施例】
【００１３】
以下、図１と図２の図面を参照しながら本発明の実施形態について具体的に説明する。
【００１４】
図１は本発明にかかるスイッチ装置の一部分を示した切断概要説明図を示している。
【００１５】
スイッチ装置１は、基板上面にスイッチ接点３が設けられたスイッチ基板５と、前記スイッチ接点３の上に対向して配置された可動接点板７と、可動接点板７の上から前記スイッチ基板５の上面全体を覆う押えシート９と、その押えシート９の上から可動接点板７を押圧するための可動接点押圧部材１１とを有している。
【００１６】
スイッチ基板５はその基板上面に例えば、各種機能を備えたスイッチ接点３が縦、横に整列して配置され、それら各スイッチ接点３の上に前記可動接点板７が対向して配置されている。
【００１７】
可動接点板７は、ばね板材によりドーム状に作られていて前記スイッチ基板５の上面に位置決めセットされ、上から押圧（矢印Ｗ）されることで下向きに変形して下位のスイッチ接点３と接触しオンとなる。押圧を解除すると、ばねの復元力により元のドーム形状に戻ることで、スイッチ接点３から離れてオフとなり、スイッチ接点３に対して接・離可能となっている。
【００１８】
押えシート９は、透明なシート状に形成され、前記可動接点板７の上からスイッチ基板５全体をカバーし、前記可動接点板７が動かないよう位置決めする押え機能と、内部への埃や水滴等の侵入を阻止するシール機能を備えている。
【００１９】
押えシート９には、位置決めされた前記可動接点板７の中央頂上部位と対応する位置に突起体１３が一体に設けられている。突起体１３を設けるにあたって押えシート９は、スイッチ基板５にセットする時に図示しない位置決め部によって前記各可動接点板７の位置と対応する位置が設計時にかわっているため、その対応する部位の上面に、例えば、スクリーン印刷等の手段によって押えシート９と一体成形されるようになっている。突起体１３の材質としてはＵＶ硬化樹脂、熱硬化樹脂等いずれでもよい。
【００２０】
この場合、突起体１３は押えシート９と必ずしも一体形状でなくてもよく、図２に示すように突起体１３のみ別体成形し、透明な押えシート９の上から、例えば、接着等の手段を介して可動接点板７の中央頂上部位に位置決めセットするようにしてもよい。
【００２１】
この場合、別部材で作られた突起体１３のセットは機械的に一度に行なうことが望ましい。これにより作業性に優れると共に、セット完了後の位置ずれの確認は目視によって行なえる。しかも、位置ずれがあった時は手作業によって迅速に位置関係の修正が可能となる。
【００２２】
一方、可動接点押圧部材１１は、脚１５付の表面シート１７の上に操作用のキートップ１９が設けられた形状となっている。
【００２３】
キートップ１９及び表面シート１７は必ずしも一体の関係になくてもよい。例えばキートップ１９から直接前記脚１５に対応する支脚部を延長し、押えシート９の上面に接地するよう形成し、表面シート１７を省略することも可能である。
【００２４】
あるいは前記とは逆に、表面シート１７の上面に指で直接押圧するための押圧部のマークを印刷することで、キートップ１９を省略する手段としてもよい。
【００２５】
このように構成されたスイッチ装置１によれば、押えシート９を可動接点板７の上からスイッチ基板５の上面全体をカバーすることで、突起体１３は可動接点板７の中央頂上部位に位置決めされる。
【００２６】
この状態は、目視によって確認できるから、位置関係にずれがあった際には押えシート９を動かし位置決めすることで、迅速、容易に位置修正を行なうことができる。
【００２７】
一方、キートップ１９の上から指で押圧操作するとその押圧力Ｗは突起体１３を介して可動接点板７に確実に伝達されると共に軽快な操作節度感が得られるようになる。
【図面の簡単な説明】
【００２８】
【図１】本発明にかかるスイッチ装置の一部分を示した切断概要説明図。
【図２】突起体を押えシートと別体に形成し可動接点板の中央部位にセットした状態の切断概要説明図。
【符号の説明】
【００２９】
１  スイッチ装置
３  スイッチ接点
５  スイッチ基板
７  可動接点板
９  押えシート
１１  可動接点押圧部材
１３  突起体
【図１】
2006252887.tif 000003
【図２】
2006252887.tif 000004